(57)【要約】  本発明の一実施例に係る携帯用ヘアプリンタは、通信モジュールと、印刷動作を行うプリンタモジュールと、イメージを毛髪の表面に印刷するプログラムが格納されたメモリと、プログラムを実行するプロセッサと、を含み、プログラムは、プロセッサにより実行され、通信モジュールを介してユーザ端末から毛髪に染色するイメージを受信し、受信したイメージをプリンタモジュールに伝達して毛髪に対するイメージ印刷動作を行うものであり、通信モジュールと、プリンタモジュールと、メモリと、プロセッサと、を内蔵するハウジングを含み、ハウジングは、ヒンジを中心に互いにヒンジ結合された上部ハウジング及び下部ハウジングと、センサモジュールと、を含み、上部ハウジングの一側端部にプリンタモジュールのプリンタヘッドが露出し、センサモジュールは、上部ハウジングのプリンタヘッドと隣接した位置に配置され、携帯用ヘアプリンタの毛髪上での移動速度又はイメージ印刷始点からの移動距離に関する情報を測定するものであり、上部ハウジングと下部ハウジングとが近づくことで上部ハウジングと下部ハウジングの間に毛髪が把持（ｇｒｉｐ）される。
2021516107.tif 000002
【特許請求の範囲】
【請求項１】
携帯用ヘアプリンタにおいて、
通信モジュールと、
印刷動作を行うプリンタモジュールと、
イメージを毛髪の表面に印刷するプログラムが格納されたメモリと、
前記プログラムを実行するプロセッサと、を含み、
前記プログラムは、前記プロセッサにより実行され、前記通信モジュールを介してユーザ端末から毛髪に染色するイメージを受信し、前記受信したイメージを前記プリンタモジュールに伝達して毛髪に対するイメージ印刷動作を行うものであり、
前記通信モジュールと、プリンタモジュールと、メモリと、プロセッサと、を内蔵するハウジングを含み、
前記ハウジングは、ヒンジを中心に互いにヒンジ結合された上部ハウジング及び下部ハウジングと、センサモジュールと、を含み、
前記上部ハウジングの一側端部に前記プリンタモジュールのプリンタヘッドが露出し、
前記センサモジュールは、前記上部ハウジングのプリンタヘッドと隣接した位置に配置され、前記携帯用ヘアプリンタの前記毛髪上での移動速度又は前記イメージ印刷始点からの移動距離に関する情報を測定するものであり、
前記上部ハウジングと下部ハウジングとが近づくことで前記上部ハウジングと下部ハウジングの間に毛髪が把持（ｇｒｉｐ）される、携帯用ヘアプリンタ。
【請求項２】
前記ヘアプリンタの前記毛髪上での移動状態を感知するセンサモジュールをさらに含み、
前記プログラムは、前記ヘアプリンタの前記毛髪上での移動状態に関する情報に同期して前記イメージの出力状態を調節する、請求項１に記載の携帯用ヘアプリンタ。
【請求項３】
前記上部ハウジングのプリンタヘッドと対応する領域において前記下部ハウジングの延在方向に沿って下部ハウジングの側面に配置され、毛髪の投入を誘導する毛髪ガイドをさらに含む、請求項１に記載の携帯用ヘアプリンタ。
【請求項４】
前記上部ハウジングのプリンタヘッドと対応する領域において前記上部ハウジングの延在方向に沿って上部ハウジングの側面に配置され、毛髪が均等に投入されるように誘導する櫛歯部材をさらに含む、請求項１に記載の携帯用ヘアプリンタ。
【請求項５】
前記上部ハウジングと下部ハウジングの間に毛髪が把持された状態で毛髪の把持された量を測定する毛髪測定センサをさらに含み、
前記毛髪測定センサは、前記上部ハウジングと下部ハウジングの間に毛髪が把持された状態で毛髪の厚さを測定する厚さ測定センサであり、
前記プログラムは、前記毛髪測定センサにより測定された毛髪の量が閾値以上である場合、アラームを出力することで毛髪を再度把持させる、請求項１に記載の携帯用ヘアプリンタ。
【請求項６】
前記上部ハウジングのプリンタヘッドに隣接して配置され、染色用インクが吐出された前後にコーティング剤を撒布するコーティング部と、
前記染色用インク又はコーティング剤を乾燥する乾燥部と、をさらに含む、請求項１に記載の携帯用ヘアプリンタ。
【請求項７】
前記プリンタモジュールに染色用インクを供給するインクタンクと、
前記インクタンクのインクを前記プリンタモジュールに伝達するチューブと、をさらに含む、請求項１に記載の携帯用ヘアプリンタ。
【請求項８】
前記プリンタモジュールに染色用インクを供給するインクタンクが前記上部ハウジングに含まれる、請求項１に記載の携帯用ヘアプリンタ。
【請求項９】
前記携帯用ヘアプリンタの動作状態を表示するディスプレイユニットをさらに含む、請求項１に記載の携帯用ヘアプリンタ。
【請求項１０】
前記プログラムは、携帯用ヘアプリンタの上部ハウジング及び下部ハウジングを利用して毛髪が把持された状態で前記携帯用ヘアプリンタが毛髪に沿って移動するにより前記センサモジュールを介して測定された値に基づいて毛髪の長さを算出し、前記携帯用ヘアプリンタに結合されたディスプレイユニットを介して毛髪の長さ値を出力するか、毛髪の長さ値を前記ユーザ端末に送信する、請求項１に記載の携帯用ヘアプリンタ。
【請求項１１】
携帯用ヘアプリンタを利用したヘアプリント方法において、
前記携帯用ヘアプリンタが通信モジュールを介してユーザ端末から毛髪に染色するイメージを受信するステップと、
前記受信したイメージを前記携帯用ヘアプリンタに含まれたプリンタモジュールに伝達して毛髪に対するイメージ印刷動作を行うステップと、を含み、
前記イメージを受信するステップを行う前に、前記携帯用ヘアプリンタの上部ハウジング及び下部ハウジングを利用して毛髪が把持された状態で前記携帯用ヘアプリンタが毛髪に沿って移動することにより携帯用ヘアプリンタの移動状態を感知するセンサモジュールを介して測定された値に基づいて毛髪の長さを算出するステップをさらに含み、
前記受信したイメージは、前記毛髪の長さに基づき、前記毛髪の長さに合わせて前記ユーザ端末でサイズ変換されたものである、ヘアプリント方法。
【請求項１２】
前記イメージを受信するステップを行う前に、
前記ユーザ端末によって染色対象者のヘアイメージが撮影又は受信され、
前記ヘアイメージに前記サイズ変換済みの染色するイメージを合成して前記ユーザ端末に提供するステップをさらに含む、請求項１１に記載のヘアプリント方法。
【請求項１３】
前記印刷動作を行うステップは、
前記携帯用ヘアプリンタが毛髪に沿って移動することにより携帯用ヘアプリンタの移動状態を感知するセンサモジュールを介して測定された値に基づき、前記ヘアプリンタの前記毛髪上での移動状態に関する情報を収集し、
収集された情報に同期して前記イメージの出力状態を調節する、請求項１１に記載のヘアプリント方法。
【請求項１４】
前記印刷動作を行うステップは、
前記携帯用ヘアプリンタの上部ハウジングと下部ハウジングの間に毛髪が把持された状態で毛髪の把持された量を測定する毛髪測定センサにより測定された毛髪の量が閾値以上である場合、アラームを出力することで毛髪を再度把持させる、請求項１１に記載のヘアプリント方法。
【請求項１５】
前記印刷動作を行うステップは、
前記プリンタモジュールに隣接して配置されたコーティング部を介して染色用インクが吐出された前後にコーティング剤を撒布するステップと、
前記コーティング部に隣接して配置された乾燥部を介して染色用インク又はコーティング剤を乾燥するステップと、を含む、請求項１１に記載のヘアプリント方法。
【発明の詳細な説明】
【技術分野】
【０００１】
本発明は、携帯用ヘアプリンタ及びそれを利用したヘアプリント方法に関する。
【背景技術】
【０００２】
一般に、染毛剤は、その性質によって一時染毛剤（Ｔｅｍｐｏｒａｒｙ Ｈａｉｒ Ｃｏｌｏｒ）、永久染毛剤（Ｐｅｒｍａｎｅｎｔ Ｈａｉｒ Ｃｏｌｏｒ）に区分する。一時染毛剤の場合、毛髪の表面に着色剤が付着して物理的に染色される。一時染毛剤は、若白髪を隠したり、毛髪に色を付ける用途として主に使用され、スティック、ジェル、スプレー、ムースなど様々な剤形があり、カラースティック、カラースプレー、カラージェル、カラームース、カラーマスカラなど様々な製品が市販されている。
【０００３】
特に、永久染毛剤の場合、髪の毛を染色するために染毛剤と酸化剤を混合して使用するものであり、これらの染毛剤及び酸化剤は別途の容器にそれぞれ保管されて、染色の際に一定量を混合して使用する。
【０００４】
しかし、染毛剤と酸化剤をそれぞれの容器に分離保存及び保管しなければならないという取り扱い上の不便さと、染色の際にこれらの染毛剤及び酸化剤を一定の割合でいちいち混合して使用しなければならないという使用上の面倒さがある。また、一度混合して使用された染毛剤は酸化により再使用することができず、髪の毛に塗布する際に染毛剤が頭皮にまで厚く塗布されたり、肌に付いたりして、皮膚の弱い人の場合は、皮膚アレルギーのような副作用をもたらすという問題点がある。
【０００５】
それに関し、先行技術である韓国登録特許第１０−１２５４５４０号（発明の名称：ヘア染色機）は、染毛剤と酸化剤とを染色剤供給部にそれぞれ絞り込んだ後、毛髪を染色する際に染毛剤と酸化剤とが混合して染色櫛から排出されながら染色が行われるヘア染色機について開示している。
【０００６】
このように、染毛剤メーカは、使用が便利で、染色時間を短縮する新製品を出しているが、まだ画期的に改善された製品は出されていない。
【発明の概要】
【発明が解決しようとする課題】
【０００７】
本発明は、上記のような問題点を解決するために案出されたものであり、本発明が解決しようとする課題は、毛髪上にユーザが所望するデザインのイメージに染色することのできる携帯用ヘアプリンタ及びそれを利用したヘアプリント方法を提供することを目的とする。
【課題を解決するための手段】
【０００８】
上述した課題を解決するための技術的手段として、本発明の一実施例に係る携帯用ヘアプリンタは、通信モジュールと、印刷動作を行うプリンタモジュールと、イメージを毛髪の表面に印刷するプログラムが格納されたメモリと、プログラムを実行するプロセッサと、を含み、プログラムは、プロセッサにより実行され、通信モジュールを介してユーザ端末から毛髪に染色するイメージを受信し、受信したイメージをプリンタモジュールに伝達して毛髪に対するイメージ印刷動作を行うものであり、通信モジュールと、プリンタモジュールと、メモリと、プロセッサと、を内蔵するハウジングを含み、ハウジングは、ヒンジを中心に互いにヒンジ結合された上部ハウジング及び下部ハウジングと、センサモジュールと、を含み、上部ハウジングの一側端部にプリンタモジュールのプリンタヘッドが露出し、センサモジュールは、上部ハウジングのプリンタヘッドと隣接した位置に配置され、携帯用ヘアプリンタの毛髪上での移動速度又はイメージ印刷始点からの移動距離に関する情報を測定するものであり、上部ハウジングと下部ハウジングとが近づくことで上部ハウジングと下部ハウジングの間に毛髪が把持（ｇｒｉｐ）される。
【０００９】
本発明の他の実施例によると、携帯用ヘアプリンタを利用したヘアプリント方法は、携帯用ヘアプリンタが通信モジュールを介してユーザ端末から毛髪に染色するイメージを受信するステップと、受信したイメージを携帯用ヘアプリンタに含まれたプリンタモジュールに伝達して毛髪に対するイメージ印刷動作を行うステップと、を含み、イメージを受信するステップを行う前に、携帯用ヘアプリンタの上部ハウジング及び下部ハウジングを利用して毛髪が把持された状態で携帯用ヘアプリンタが毛髪に沿って移動することにより携帯用ヘアプリンタの移動状態を感知するセンサモジュールを介して測定された値に基づいて毛髪の長さを算出するステップをさらに含み、受信したイメージは、毛髪の長さに基づき、毛髪の長さに合わせてユーザ端末でサイズ変換されたものである。
【発明の効果】
【００１０】
上述した本発明の課題を解決するための手段によれば、本発明は、携帯用ヘアプリンタを利用し、ユーザの個性を表現することのできる様々なイメージを迅速で且つ容易にユーザの毛髪上に染色することができる。
【００１１】
さらに、携帯用ヘアプリンタに毛髪が把持された状態で携帯用ヘアプリンタが毛髪に沿って移動することによりイメージ印刷動作が行われるため、精巧なイメージについての染色時間を画期的に短縮することができる。
【図面の簡単な説明】
【００１２】
【図１】本発明の一実施例に係る携帯用ヘアプリンタの概略的な構成を説明するためのブロック図である。
【図２】本発明の一実施例に係る携帯用ヘアプリンタの上部ハウジングを説明するための斜視図である。
【図３】本発明の一実施例に係る携帯用ヘアプリンタの下部ハウジングを説明するための斜視図である。
【図４】本発明の一実施例に係る携帯用ヘアプリンタの構成を示す図である。
【図５】本発明の一実施例に係る携帯用ヘアプリンタの詳細な構成を説明するための図である。
【図６】本発明の一実施例に係る携帯用ヘアプリンタを利用したヘアプリント方法を説明するためのフローチャートである。
【発明を実施するための形態】
【００１３】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００１４】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味し、１つ或いはそれ以上の他の特徴や数字、ステップ、動作、構成要素、部分品、又はこれらを組み合わせたものの存在又は付加可能性を予め排除するものではないと理解されなければならない。
【００１５】
図１は、本発明の一実施例に係る携帯用ヘアプリンタの概略的な構成を説明するためのブロック図である。
【００１６】
図１を参照すると、本発明の一実施例に係る携帯用ヘアプリンタ１００は、通信モジュール２０と、印刷動作を行うプリンタモジュール１０と、イメージを毛髪の表面に印刷するプログラムが格納されたメモリ５０と、プログラムを実行するプロセッサ３０と、を含む。プログラムは、プロセッサ３０により実行され、通信モジュール２０を介してユーザ端末２００から毛髪に染色するイメージを受信し、受信したイメージをプリンタモジュール１０に伝達して毛髪に対するイメージ印刷動作を行っても良い。
【００１７】
一方、メモリ５０は、電源が供給されなくても格納された情報を維持し続ける不揮発性格納装置及び格納された情報を維持するために電力が必要な揮発性格納装置を通称するものである。
【００１８】
また、本発明は、ヘアプリンタ１００の毛髪上での移動状態を感知するセンサモジュール４０をさらに含み、プログラムは、ヘアプリンタ１００の毛髪上での移動状態に関する情報に同期してイメージの出力状態を調節しても良い。具体的に、センサモジュール４０は、毛髪上での移動速度又はイメージ印刷始点からの移動距離に関する情報を測定しても良い。例示として、センサモジュール４０は、ヘアプリンタ１００の上部ハウジングのプリンタヘッドと隣接した位置に配置された光学センサ又は回転ローラにより構成されても良く、これに関する詳細な説明は後述することとする。
【００１９】
図２は、本発明の一実施例に係る携帯用ヘアプリンタの上部ハウジングを説明するための斜視図である。
【００２０】
図３は、本発明の一実施例に係る携帯用ヘアプリンタの下部ハウジングを説明するための斜視図である。
【００２１】
図４は、本発明の一実施例に係る携帯用ヘアプリンタの構成を示す図である。
【００２２】
図５は、本発明の一実施例に係る携帯用ヘアプリンタの詳細な構成を説明するための図である。
【００２３】
具体的に、本発明の携帯用ヘアプリンタ１００は、通信モジュール２０と、プリンタモジュール１０と、メモリ５０と、プロセッサ３０とを内蔵するハウジング１０１をさらに含む。ここで、通信モジュール２０は、無線及び有線通信を全て含むものを意味する。
【００２４】
図２を参照すると、ハウジング１０１は、ヒンジ１０４を中心に互いにヒンジ結合された上部ハウジング１０２及び下部ハウジング１０３を含み、上部ハウジング１０２の一側端部にプリンタモジュール１０のプリンタヘッド１７０が露出し、上部ハウジング１０２と下部ハウジング１０３とが近づくことで上部ハウジング１０２と下部ハウジング１０３の間に毛髪が把持（ｇｒｉｐ）されても良い。
【００２５】
ここで、プリンタヘッド１７０は、印刷データに応じて決定した染色用インクの種類及び吐出量に対応するように染色用インクを吐出する。例えば、染色用インクは、Ｃ、Ｍ、Ｙ、Ｗの４種類で構成されても良い。
【００２６】
プリンタモジュール１０は、一般のプリンタの交換型インクカートリッジを上部ハウジング１０２に内蔵する形態に具現されても良い。
【００２７】
図２及び図５を参照すると、本発明の携帯用ヘアプリンタ１００のハウジング１０１は、回転ローラ１４０と、毛髪ガイド１１０と、櫛歯部材１１５と、ヘアプリンタ１００の動作状態を表示するディスプレイユニット１５０と、をさらに含み、センサモジュール４０及び毛髪測定センサ１３０を内蔵していても良い。
【００２８】
つまり、センサモジュール４０は、ヘアプリンタ１００に結合された回転ローラ１４０の回転速度を感知し、これにより移動速度又は印刷始点からの移動距離を確認し、移動速度又は移動距離に同期してイメージの出力状態を調節しても良い。
【００２９】
図２に示すように、回転ローラ１４０は、上部ハウジング１０２のプリンタヘッド１７０と隣接した位置に配置され、上部ハウジング１０２の延在方向と垂直な方向へ回転し、センサモジュール４０は、回転ローラ１４０の回転状態を感知しても良い。
【００３０】
一例として、回転ローラ１４０は、上部ハウジング１０２の下面に備えられたプリンタヘッド１７０の一側面に配置され、プリンタヘッド１７０と対応する長さに形成されても良い。また、回転ローラ１４０が毛髪上で転がる際に回転摩擦を有するようラバー（ｒｕｂｂｅｒ）材質からなっていても良いが、これに限定されるものではない。
【００３１】
例示として、ユーザが上部ハウジング１０２と下部ハウジング１０３の間に毛髪の長さ方向と交差する方向に毛髪を把持した状態で、ヘアプリンタ１００のハウジング１０１を毛髪の上側から下側へスライド移動させる場合、回転ローラ１４０は、ハウジング１０１の移動方向とは反対方向に回転しても良い。
【００３２】
このとき、プロセッサ３０によって実行されるプログラムは、携帯用ヘアプリンタ１００の上部ハウジング１０２及び下部ハウジング１０３を利用して毛髪が把持された状態で携帯用ヘアプリンタ１００が毛髪に沿って移動することによりセンサモジュール４０を介して測定された値に基づいて毛髪の長さを算出し、携帯用ヘアプリンタ１００に結合されたディスプレイユニット１５０を介して毛髪の長さ値を出力するか、毛髪の長さ値をユーザ端末２００に送信しても良い。
【００３３】
センサモジュール４０又はエンコーダなどが使用されても良く、これにより回転ローラ１４０の回転数をカウントしても良い。
【００３４】
例示として、ユーザ端末２００は、算出された毛髪の長さに基づき、毛髪の長さに合わせてイメージのサイズが変換された仮想画面を出力し、ユーザは、仮想画面を見て染色したいイメージを選択しても良い。このとき、ユーザにより選択が完了したイメージは、毛髪の長さに合わせてユーザ端末２００でサイズ変換が行われ、携帯用ヘアプリンタ１００に送信されても良い。これにより、携帯用ヘアプリンタ１００は、異なるユーザの毛髪の長さに関係なく染色イメージの最適な解像度を確保することができる。
【００３５】
毛髪測定センサ１３０は、上部ハウジング１０２と下部ハウジング１０３の間に毛髪が把持された状態で毛髪の把持された量を測定しても良い。例示として、毛髪測定センサ１３０は、上部ハウジング１０２と下部ハウジング１０３の間に毛髪が把持された状態で毛髪の厚さを測定する厚さ測定センサにより構成されても良く、例えば、厚さ測定センサは、上部ハウジング１０２と下部ハウジング１０３との距離を測定する距離センサ又は毛髪により上部ハウジング１０２又は下部ハウジング１０３に印加される圧力を測定する圧力センサであっても良い。例えば、距離センサは、赤外線又は超音波センサにより構成されても良いが、これに限定されるものではない。
【００３６】
このとき、プロセッサ３０によって実行されるプログラムは、毛髪測定センサ１３０により測定された毛髪の量が閾値以上である場合、アラームを出力することで毛髪を再度把持させても良い。これにより、上部ハウジング１０２及び下部ハウジング１０３は、高品質のイメージが印刷されるように適切な毛髪の厚さを確保することができる。
【００３７】
再び図２及び図３を参照すると、毛髪ガイド１１０は、上部ハウジング１０２のプリンタヘッド１７０と対応する領域において下部ハウジング１０３の延在方向に沿って下部ハウジング１０３の側面に配置され、毛髪の投入を誘導しても良い。
【００３８】
例示として、毛髪ガイド１１０は、下部ハウジング１０３の側面において上側に向けて曲がった形態に延びるように形成されても良い。また、毛髪ガイド１１０は、スチール材質からなっても良いが、これに限定されるものではない。
【００３９】
櫛歯部材１１５は、上部ハウジング１０２のプリンタヘッド１７０と対応する領域において上部ハウジング１０２の延在方向に沿って上部ハウジング１０２の側面に配置され、毛髪が均等に投入されるように誘導しても良い。例示として、櫛歯部材１１５は、櫛歯により毛髪を万遍なく広げ、髪の毛が絡まることを防止することができる。
【００４０】
つまり、かかる毛髪ガイド１１０及び櫛歯部材は、上部ハウジング１０２と下部ハウジング１０３の間に一定量の毛髪が把持されるように毛髪を固定する役割を果たす。
【００４１】
図４を参照すると、本発明のヘアプリンタ１００は、プリンタモジュール１０に染色用インクを供給するインクタンク３００と、インクタンク３００のインクをプリンタモジュール１０に伝達するチューブ３１０と、をさらに含む。また、ヘアプリンタ１００は、プリンタモジュール１０に染色用インクを供給するインクタンク３００が上部ハウジング１０２に含まれていても良い。
【００４２】
一例として、図４に示すように、インクタンク３００は、ヘアプリンタ１００とは別個に構成され、チューブ３１０を介してプリンタモジュール１０に染色用インクを供給しても良いが、これに限定されるものではない。他の例として、インクタンク３００が上部ハウジング１０２に内蔵されるように構成され、プリンタヘッド１７０にチューブ３１０を介して染色用インクを供給する一体型として形成されるか、プリンタヘッド１７０に接触して染色用インクを供給する交換可能な分離型に形成されても良い。
【００４３】
例示として、インクタンク３００は、電動ポンプにより染色用インクをプリンタモジュール１０に供給しても良い。チューブ３１０は、染色用インクを伝達する通路の役割を果たし、インクタンク３００とプリンタモジュール１０とを連結するチューブ３１０と電力供給ケーブルが共に備えられていても良い。
【００４４】
図５を参照すると、本発明のヘアプリンタ１００は、上部ハウジング１０２のプリンタヘッド１７０に隣接して配置され、染色用インクが吐出された前後にコーティング剤を撒布するコーティング部１９０と、染色用インク又はコーティング剤を乾燥する乾燥部１８０と、をさらに含む。
【００４５】
一例として、乾燥部１８０は、毛髪に噴射された染色用インク又はコーティング剤を速やかに乾燥させるものであり、ヒータ、熱風及び赤外線などにより構成されても良い。コーティング部１９０は、毛髪に噴射された染色用インクがそれぞれの毛髪に良く定着するように助けるコーティング剤を噴射するか、毛髪の健康を管理するための成分が含まれた栄養剤を噴射しても良い。
【００４６】
一方、ヘアプリンタ１００は、プリンタヘッド１７０をキャップするキャップ位置と染色のためのアンキャップ位置とにスライド移動される清掃ユニット１２０をさらに含んでいても良い。
【００４７】
例示として、清掃ユニット１２０は、プリンタヘッド１７０に接触した状態でスライド移動しながら前記プリンタヘッド１７０に付いているインクを拭き取るワイプ部を含んでいても良い。言い換えれば、清掃ユニット１２０は、使用しない際にプリンタヘッド１７０が外部へ露出しないようカバーの役割をするだけでなく、スライド移動の際にワイプ部によりプリンタヘッド１７０に残存するインクを除去することができる。例示として、ワイプ部は、プリンタヘッド１７０に対応する個数分提供されても良いが、これに限定されるものではない。
【００４８】
詳しくは、ヘアプリンタ１００を使用する場合、清掃ユニット１２０をキャップ位置からアンキャップ位置へスライド移動させても良い。このとき、ワイプ部は、使用しない際にプリンタヘッド１７０から漏れたインクを拭き取ることができる。また、ヘアプリンタ１００の使用を終えた場合、清掃ユニット１２０をアンキャップ位置からキャップ位置へスライド移動させても良い。ワイプ部は、プリンタヘッド１７０に残っているインクを拭き取ることができる。例示として、ワイプ部は、インクを吸収できる纎維又はスポンジのような多孔性の吸収体からなっても良いが、これに限定されるものではない。
【００４９】
清掃ユニット１２０は、プリンタヘッド１７０をキャップする場合にプリンタヘッド１７０に密着するキャップ部を含んでいても良い。キャップ部は、プリンタヘッド１７０の周部に沿って密着し、中央部が窪んで形成されることで、プリンタヘッド１７０から滴下するインクが収集され、インクによる汚染を防止することができる。
【００５０】
また、ワイプ部及びキャップ部は、一定時間使用すれば必要に応じて交換できるように設けられても良い。例示として、交換の周期は、アプリケーションによるアラーム又は機器自体からアラームを通知しても良い。
【００５１】
清掃ユニット１２０は、清掃ユニット１２０の開閉有無を感知する開閉センサをさらに含んでいても良い。また、ユーザは、ディスプレイユニット１５０を通じて清掃ユニット１２０の開閉有無を確認しても良い。例示として、開閉センサにより清掃ユニットがプリンタヘッド１７０が開放されたアンキャップ状態で一定時間が経過した場合、プリンタヘッド１７０が乾燥することを防止するためにユーザにアラームを通知しても良い。
【００５２】
以下では、本発明の携帯用ヘアプリンタ１００を利用したヘアプリント方法について説明することとする。以下では、上述した図１乃至図５に示された構成のうち同じ機能を実行する構成の場合は、説明を省略することとする。
【００５３】
図６は、本発明の一実施例に係る携帯用ヘアプリンタを利用したヘアプリント方法を説明するためのフローチャートである。
【００５４】
図６を参照すると、携帯用ヘアプリンタ１００を利用したヘアプリント方法は、携帯用ヘアプリンタ１００が通信モジュール２０を介してユーザ端末２００から毛髪に染色するイメージを受信するステップＳ２１０と、受信したイメージを携帯用ヘアプリンタ１００に含まれたプリンタモジュール１０に伝達して毛髪に対するイメージ印刷動作を行うステップＳ２２０と、を含む。
【００５５】
具体的に、イメージを受信するステップＳ２１０を行う前に、携帯用ヘアプリンタ１００の上部ハウジング１０２及び下部ハウジング１０３を利用して毛髪が把持された状態で携帯用ヘアプリンタ１００が毛髪に沿って移動することにより携帯用ヘアプリンタ１００の移動状態を感知するセンサモジュール４０を介して測定された値に基づいて毛髪の長さを算出するステップＳ２０１をさらに含んでいても良い。
【００５６】
また、イメージを受信するステップＳ２１０を行う前に、ユーザ端末２００によって染色対象者のヘアイメージが撮影又は受信され、ヘアイメージにサイズ変換済みの染色するイメージを合成してユーザ端末２００に提供するステップＳ２０２をさらに含んでいても良い。
【００５７】
例示として、ステップＳ２０１の後、ユーザ端末２００によってユーザが染色したいイメージを選択する場合、ユーザの毛髪の長さに合わせてイメージのサイズが変換された仮想画面を出力し、ユーザによって再度イメージが選択されるか、イメージの決定が完了しても良い（Ｓ２０２）。ユーザの決定が完了したイメージ（つまり、ステップＳ２１０において受信したイメージ）は、ステップＳ２０１において算出された毛髪の長さに基づき、毛髪の長さに合わせてユーザ端末２００でサイズ変換が行われても良い（Ｓ２０３）。
【００５８】
印刷動作を行うステップＳ２２０は、携帯用ヘアプリンタ１００の上部ハウジング１０２と下部ハウジング１０３の間に毛髪が把持された状態で毛髪の把持された量を測定する毛髪測定センサ１３０により測定された毛髪の量が閾値以上である場合、アラームを出力することで毛髪を再度把持させても良い（Ｓ２２２）。
【００５９】
例示として、ステップＳ２２２の前に、上部ハウジング１０２の側面に配置された櫛歯部材１１５と下部ハウジング１０３の側面に配置された毛髪ガイド１１０の間に毛髪が把持された状態で櫛歯部材１１５と毛髪ガイド１１０との結合有無を確認し、毛髪が均等に投入されるように結合されていない場合、アラームを出力することで毛髪を再度把持させても良い（Ｓ２２１）。
【００６０】
その後、携帯用ヘアプリンタ１００が毛髪に沿って移動することにより携帯用ヘアプリンタ１００の移動状態を感知するセンサモジュール４０を介して測定された値に基づき、ヘアプリンタ１００の毛髪上での移動状態に関する情報を収集し、収集された情報に同期してイメージの出力状態を調節しても良い（Ｓ２２３）。
【００６１】
具体的に、ステップＳ２２３において、センサモジュール４０は、ヘアプリンタ１００に結合された回転ローラ１４０の回転速度を感知し、これにより移動速度又は始点からの移動距離を確認し、移動速度又は移動距離に同期してイメージの出力状態を調節しても良い。
【００６２】
ステップＳ２２０は、プリンタモジュール１０に隣接して配置されたコーティング部１９０を介して染色用インクが吐出された前後にコーティング剤を撒布するステップＳ２２４と、コーティング部１９０に隣接して配置された乾燥部１８０を介して染色用インク又はコーティング剤を乾燥するステップＳ２２５と、を含んでいても良い。
【００６３】
一方、本発明の一実施例は、コンピュータにより実行されるプログラムモジュールのようなコンピュータにより実行可能な命令語を含む記録媒体の形態に具現されても良い。コンピュータ読み取り可能な媒体は、コンピュータによってアクセスできる任意の可用媒体であっても良く、揮発性及び不揮発性の媒体、分離型及び非分離型の媒体を全て含む。また、コンピュータ読み取り可能な媒体は、コンピュータ格納媒体を含んでいても良い。コンピュータ格納媒体は、コンピュータ読み取り可能な命令語、データ構造、プログラムモジュール、又はその他のデータのような情報格納のための任意の方法又は技術に具現された揮発性及び不揮発性、分離型及び非分離型の媒体を全て含む。
【００６４】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されても良く、同様に、分散したものと説明されている構成要素も結合された形態で実施されても良い。
【００６５】
本発明の範囲は、上記詳細な説明よりは後述する特許請求の範囲によって示され、特許請求の範囲の意味及び範囲、並びにその均等概念から導出される全ての変更又は変形された形態が本発明の範囲に含まれると解釈されなければならない。                                                                                            
【図１】
2021516107.tif 000003
【図２】
2021516107.tif 000004
【図３】
2021516107.tif 000005
【図４】
2021516107.tif 000006
【図５】
2021516107.tif 000007
【図６】
2021516107.tif 000008
【国際調査報告】
2021516107.tif 000009
2021516107.tif 000010
2021516107.tif 000011
2021516107.tif 000012